(57)【要約】【課題】調理容器１６を本体１１にバイヨネット嵌合で着脱しやすくした電動調理機を得る。【解決手段】フック部１３の反開口側背面１４を傾斜面にすることで、調理容器１６を回転させて取り外すときに突起部１８がフック部１３に当接しても動作が中断することなく調理容器１６は回転しながら上に持ち上がっていくため取り外しやすくできる。【選択図】　図１
2004065362.tif 000002
【特許請求の範囲】
【請求項１】
電動機を内蔵し調理容器取り付け部を備えた本体と、前記調理容器取り付け部に着脱自在に嵌合し前記電動機により回転駆動される調理ツールを備えた調理容器を有し、前記調理容器の台座の側面には複数個の突起部を配置し、前記調理容器取り付け部の側面には前記突起部に対応した複数個のフック部を配置して前記調理容器を前記本体にバイヨネット嵌合させており、前記フック部の反開口側背面を傾斜面とした電動調理機。
【請求項２】
突起部の反嵌合側背面をフック部の反開口側背面の傾斜面と同方向の傾斜面とした請求項１記載の電動調理機。
【請求項３】
フック部の開口外部面を傾斜面とした請求項１または２記載の電動調理機。
【請求項４】
突起部の嵌合側面をフック部の開口外部面の傾斜面と同方向の傾斜面とした請求項３記載の電動調理機。
【請求項５】
調理ツールは一方向に回転し、調理容器は台座に前記調理ツールの回転方向と同方向にねじ込んで着脱自在に取り付け、前記台座は本体上の調理容器取り付け部にバイヨネット嵌合で前記調理ツールの回転方向と同方向に回して取り付けた請求項１〜４いずれかに記載の電動調理機。
【請求項６】
調理容器取り付け部のフック部の開口外部面とこれに隣接する他のフック部の反開口側背面との間隔を台座の突起部の横幅の２倍以上とした請求項５記載の電動調理機。
【請求項７】
調理容器の台座の側面に複数個のフック部を配置し、調理容器取り付け部の側面に前記フック部に対応した複数個の突起部を配置して前記調理容器を前記調理容器取り付け部にバイヨネット嵌合させた請求項１〜６いずれかに記載の電動調理機。
【発明の詳細な説明】
【０００１】
【発明の属する技術分野】
本発明は、家庭用の電動調理機の本体と調理容器の着脱の構成に関するものである。
【０００２】
【従来の技術】
従来の電動調理機は、例えば図７に示すように、電動機１を内蔵し調理容器取り付け部２を備えた本体３の上に調理容器４を台座５の部分により着脱自在に装着し駆動コネクタ６と従動コネクタ７を介して調理ツール８を回転させて食材を調理していた。調理容器４の台座５の側面には複数個の長円形の突起部９を配置し、調理容器取り付け部２の側面には突起部９に対応した複数個のＬ字形状のフック部１０を配置して調理容器４を本体３の台座５の部分に突起部９とフック部１０によりバイヨネット嵌合させていた。
【０００３】
【発明が解決しようとする課題】
しかしながら、前記のような構成によると調理容器５を回転させて取り外すときに突起部９がフック部１０の側面に当接したところで一端動作が中断しその後に調理容器５を上に持ち上げるという２段階動作になっており取り外しにくいという課題を有していた。
【０００４】
本発明は、前記従来の課題を解決するもので、着脱がしやすいバイヨネット嵌合の調理容器を備えた電動調理機を提供することを目的とする。
【０００５】
【課題を解決するための手段】
前記従来の課題を解決するために本発明の電動調理機は、フック部の反開口側背面を傾斜面にしたものである。
【０００６】
これにより、調理容器を回転させて取り外すときに突起部がフック部の反開口側背面に当接してもここが傾斜面になっていることから動作が中断することなく調理容器は回転しながら上に持ち上がっていくため取り外しやすくすることができる。
【０００７】
【発明の実施の形態】
本発明の請求項１に記載の発明は、電動機を内蔵し調理容器取り付け部を備えた本体と、前記調理容器取り付け部に着脱自在に嵌合し前記電動機により回転駆動される調理ツールを備えた調理容器を有し、前記調理容器の台座の側面には複数個の突起部を配置し、前記調理容器取り付け部の側面には前記突起部に対応した複数個のフック部を配置して前記調理容器を前記本体にバイヨネット嵌合させており、前記フック部の反開口側背面を傾斜面としたものであり、調理容器を回転させて取り外すときに突起部がフック部の反開口側背面に当接してもここが傾斜面になっていることから動作が中断することなく調理容器は回転しながら上に持ち上がっていくため取り外しやすくすることができる。
【０００８】
本発明の請求項２に記載の発明は、請求項１の構成において、突起部の反嵌合側背面をフック部の反開口側背面の傾斜面と同方向の傾斜面としたものである。
【０００９】
そして、調理容器を回転させて取り外す場合に、突起部がフック部の反開口側背面の傾斜面に当接したとき突起部の反嵌合側背面も同方向の傾斜面となっているため接触面を大きくでき突起部の強度を増すことができる。
【００１０】
本発明の請求項３に記載の発明は、請求項１または２の構成において、フック部の開口外部面を傾斜面としたものである。
【００１１】
そして、フック部の反開口側背面と開口外部面の両方をを傾斜面とすることにより、フック部の反開口側背面だけを同じ傾斜角度の傾斜面とした場合に対してフック部の全高を低くコンパクトにすることができる。
【００１２】
また、調理容器を本体の調理容器取り付け部の任意の位置に入れたときも、調理容器はフック部の反開口側背面だけを傾斜面とした場合に対してより少ない回転角度で係止できる位置に、フック部の反開口側背面または開口外部面に沿って移動することができる。
【００１３】
本発明の請求項４に記載の発明は、請求項３の構成において、突起部の嵌合側面をフック部の開口外部面の傾斜面と同方向の傾斜面としたものである。
【００１４】
そして、調理容器を本体の調理容器取り付け部に入れた場合に、突起部がフック部の開口外部面の傾斜面に当接したとき突起部の嵌合側面も同方向の傾斜面となっているため接触面を大きくでき突起部の強度を増すことができる。
【００１５】
本発明の請求項５に記載の発明は、請求項１〜４のいずれかの構成において、調理ツールは一方向に回転し、調理容器は台座に前記調理ツールの回転方向と同方向にねじ込んで着脱自在に取り付け、前記台座は本体上の調理容器取り付け部にバイヨネット嵌合で前記調理ツールの回転方向と同方向に回して取り付けるようにしたものである。
【００１６】
そして、調理容器と台座をねじ込み式で分離可能にし調理ツールの洗浄を容易にした構成で、調理容器を回転させて取り外すときに突起部がフック部の反開口側背面に当接してもここが傾斜面になっていることから衝撃が小さいため、調理容器と台座のねじが緩みにくくなり調理物が漏れにくくなる。
【００１７】
また、調理容器を回転させて取り外すときに突起部がフック部の反開口側背面に当接してもここが傾斜面になっていることから動作が中断することなく調理容器は回転しながら上に持ち上がっていくため取り外しやすい。
【００１８】
本発明の請求項６に記載の発明は、請求項５の構成において、調理容器取り付け部のフック部の開口外部面とこれに隣接する他のフック部の反開口側背面との間隔を台座の突起部の横幅の２倍以上としたものである。
【００１９】
そして、調理容器と台座をねじ込み式で分離可能にした構成で、調理容器を回転させて取り外すときに突起部がフック部の反開口側背面に当接するまでの距離が長くなり、当接したときの衝撃をさらに小さくできるため、調理容器と台座のねじがより緩みにくくなり調理物が漏れにくくなる。
【００２０】
本発明の請求項７に記載の発明は、請求項１〜６のいずれかの構成において、調理容器の台座の側面に複数個のフック部を配置し、調理容器取り付け部の側面に前記フック部に対応した複数個の突起部を配置して前記調理容器を前記調理容器取り付け部にバイヨネット嵌合させたものである。
【００２１】
そして、調理容器を回転させて取り外すときにフック部の反開口側背面が突起部に当接してもここが傾斜面になっていることから動作が中断することなく調理容器は回転しながら上に持ち上がっていくため取り外しやすい。
【００２２】
【実施例】
以下本発明の実施例について、図面を参照しながら説明する。
【００２３】
（実施例１）
図１、図２は、本発明の実施例１の電動調理機の構成を示す図である。図において、従来例と同じ構成部材についてはそれぞれ同じ符号を付し、その説明は省略する。異なる点は、図において本体１１の調理容器取り付け部１２に複数個設けたフック部１３の反開口側背面１４および開口外部面１５をそれぞれ傾斜面とし、調理容器１６の台座１７にフック部１３に対応して同じ数だけ設けた突起部１８の反嵌合側背面１９をフック部１３の反開口側背面１４と同方向の傾斜面とし、嵌合側面２０をフック部１３の開口外部面１５と同方向の傾斜面とさせていることである。
【００２４】
以上のように構成された電動調理機について、以下にその動作を説明する。
【００２５】
まず、調理容器１６を調理容器取り付け部１２に装着するときは、図示のａの位置に挿入した場合は突起部１８の反嵌合側背面１９がフック部１３の反開口側背面１４に当接して傾斜面に沿って下がっていき、図示のｂの位置に挿入した場合は突起部１８の嵌合側面２０がフック部１３の開口外部面１５に当接して傾斜面に沿って下がっていく。
【００２６】
また、本実施例ではフック部１３の開口外部面１５も傾斜面としており、図示のｃのように反開口側背面１４だけを同じ傾斜角度の傾斜面とした場合に対してフック部１３の全高を低くコンパクトにすることができるとともに、調理容器１６を任意の位置に入れたとき調理容器１６はより少ない回転角度で係止できる位置に、フック部１３の反開口側背面１４または開口外部面１５に沿って移動することができる。
【００２７】
つぎに、調理容器１６を回転させて取り外すときには突起部１８の反嵌合側背面１９がフック部１３の反開口側背面１４に当接しても傾斜面になっていることから動作が中断することなく調理容器１６は回転しながら上に持ち上がっていくため取り外しやすい。
【００２８】
（実施例２）
図３、図４は、本発明の実施例２の電動調理機の構成を示す図である。実施例１と同一構成部品には同じ符号を付し、その説明は省略する。異なる点は図において、調理ツール８は一方向に回転し、調理容器２１は台座２２に調理ツール８の回転方向と同方向に回すと締まるねじ２５で締め付けており、台座２２は本体２３上に設けた凹部の調理容器取り付け部２４に調理ツール８の回転方向と同方向に回してバイヨネット嵌合で取り付けている。調理容器取り付け部２４に複数個設けたフック部２６の反開口側背面２７および開口外部面２８はそれぞれ傾斜面とし、台座２２にフック部２６に対応して同じ数だけ設けた突起部２９の反嵌合側背面３０をフック部２６の反開口側背面２７と同方向の傾斜面とし、嵌合側面３１をフック部２６の開口外部面２８と同方向の傾斜面としている。また、フック部２６の開口外部面２８とこれに隣接する他のフック部２６の反開口側背面２７との間隔ｄを突起部２９の横幅ｅの２倍以上としている。
【００２９】
以上のように構成された電動調理機について、以下にその動作を説明する。
【００３０】
調理容器２１と台座２２をねじ２５で分離可能にし調理ツール８の洗浄を容易にした構成で、調理容器２１を回転させて取り外すときに突起部２９がフック部２６の反開口側背面２７に当接してもここが傾斜面になっており、さらに突起部２９がフック部２６の反開口側背面２６に当接するまでの距離が長いため衝撃が小さくなり調理容器２１と台座２２のねじ２５が緩みにくく調理物を漏れにくくすることができる。
【００３１】
（実施例３）
図５、図６は、本発明の実施例３の電動調理機の構成を示す図である。実施例１と同一構成部品には同じ符号を付し、その説明は省略する。異なる点は図において、調理容器３２の台座３３に複数個のフック部３４を設け、調理容器取り付け部３５にフック部３４に対応した複数個の突起部３６を設けて調理容器３２を調理容器取り付け部３５にバイヨネット嵌合させたことである。フック部３４の反開口側背面３７および開口外部面３８はそれぞれ傾斜面とし、突起部３６の反嵌合側背面３９をフック部３４の反開口側背面３７と同方向の傾斜面とし、嵌合側面４０をフック部３４の開口外部面３８と同方向の傾斜面としている。
【００３２】
以上のように構成された電動調理機について、以下にその動作を説明する。
【００３３】
調理容器３２を回転させて取り外すときにフック部３４の反開口側背面３７が突起部３６に当接してもここが傾斜面になっていることから動作が中断することなく調理容器３２は回転しながら上に持ち上がっていくため取り外しやすい。
【００３４】
【発明の効果】
以上のように、本発明によれば、フック部の反開口側背面を傾斜面にしたことにより、調理容器を回転させて取り外すときに突起部がフック部の反開口側背面に当接してもここが傾斜面になっていることから動作が中断することなく調理容器は回転しながら上に持ち上がっていくため取り外しのしやすい調理容器を備えた電動調理機が得られる。
【図面の簡単な説明】
【図１】本発明の実施例１の電動調理機の要部縦断面図
【図２】同電動調理機のバイヨネット嵌合部を内側から見たときの展開図
【図３】本発明の実施例２の電動調理機の要部縦断面図
【図４】同電動調理機のバイヨネット嵌合部を内側から見たときの展開図
【図５】本発明の実施例３の電動調理機の要部縦断面図
【図６】同電動調理機のバイヨネット嵌合部を内側から見たときの展開図
【図７】従来の電動調理機の要部縦断面図
【符号の説明】
１　電動機
８　調理ツール
１１、２３　本体
１２、２４、３５　調理容器取り付け部
１３、２６、３４　フック部
１４、２７、３７　反開口側背面
１５、２８、３８　開口外部面
１６、２１、３２　調理容器
１７、２２、３３　台座
１８、２９、３６　突起部
１９、３０、３９　反嵌合側背面
２０、３１、４０　嵌合側面
【図１】
2004065362.tif 000003
【図２】
2004065362.tif 000004
【図３】
2004065362.tif 000005
【図４】
2004065362.tif 000006
【図５】
2004065362.tif 000007
【図６】
2004065362.tif 000008
【図７】
2004065362.tif 000009